(57)【要約】【課題】  モジュールサイズの引戸を用いた構造でありながら、出入口幅をモジュールサイズよりも大きく広げる場合は、引戸のモジュール幅を変えたり或いは枠外幅寸法をモジュールサイズよりも大きくしたりすることなく、出入口幅をモジュールサイズよりも広げることを可能にすること。【解決手段】  開口部４を構成する枠体２と、開口部４の一部を出入口１とするように往復移動自在に配置されるモジュールサイズの引戸５と、引戸５が納められる控え壁３とを備えた引戸装置である。上記モジュールサイズの引戸５の戸先部５ａ又は戸尻部５ｂ側のいずれか一方に、出入口幅ｄに合わせて引戸５の幅寸法を調整するための補助戸６を着脱可能に取り付けた。【選択図】        図１
2005133317.tif 000002
【特許請求の範囲】
【請求項１】
開口部を構成する枠体と、開口部の一部を出入口とするように往復移動自在に配置されるモジュールサイズの引戸と、引戸が納められる控え壁とを備えた引戸装置であって、上記モジュールサイズの引戸の戸先部又は戸尻部側のいずれか一方に、出入口幅に合わせて引戸の幅寸法を調整するための補助戸を着脱可能に取り付けてなることを特徴とする引戸装置。
【請求項２】
上記引戸と補助戸との突き合せ面のいずれか一方に雌実部を設け、いずれか他方に上記雌実部に嵌合する雄実部を設けたことを特徴とする請求項１記載の引戸装置。
【請求項３】
上記引戸と補助戸との取付け手段が、補助戸の引戸側とは反対側の端部から補助戸内部を貫通して引戸側に螺入されるボルトで構成されていることを特徴とする請求項１記載の引戸装置。
【請求項４】
開口部を構成する枠体と、開口部の一部を出入口とするように往復移動自在に配置されるモジュールサイズの引戸と、引戸が納められる控え壁とを備えた引戸装置であって、上記モジュールサイズの引戸の戸先部又は戸尻部側のいずれか一方に、出入口幅に合わせて引戸の幅寸法を調整するための補助戸を引戸に対して折り曲げ可能にヒンジ結合してなることを特徴とする引戸装置。
【請求項５】
上記引戸と補助戸とのヒンジ結合手段が、引戸と補助戸との突き合せ面の一端側に設けられる蝶番と、該突き合せ面の他端側に設けられる取り外し可能な止め金具とで構成されていることを特徴とする請求項４記載の引戸装置。
【発明の詳細な説明】
【技術分野】
【０００１】
本発明は、引戸装置に関し、詳しくは必要に応じて出入口幅を調整できるようにするための技術に関するものである。
【背景技術】
【０００２】
従来から、出入口を開閉する引戸を開くときは控え壁の後方に納めるようにした構造が一般に知られている（例えば、特許文献１参照）。
【０００３】
ところが、例えば図１０に示すように、開口部４の例えば左半分を出入口１とするように控え壁３を設け、出入口１を開閉する方向に往復移動するモジュールサイズの引戸５を開放する構造において、出入口幅ｄが例えば９００ｍｍ、引戸５のモジュール幅Ｍが例えば９３０ｍｍ、枠体２の枠外幅寸法Ｌが例えば１８７５ｍｍである場合、例えば出入口幅ｄよりも大きなピアノとか大型家具類を搬入する場合にあっては、通常よりも広い開口幅Ｄ（例えば１２００ｍｍ）を確保する必要がある。この場合、予め枠外幅寸法Ｌをモジュールサイズよりも大きくしておく方法と予め引戸５をモジュール幅Ｍよりも大きくしておく方法とがある。前者の枠外幅寸法Ｌを大きくする場合は、枠体２が一般住宅のモジュールサイズに納まらなくなるという問題が生じ、後者のように引戸５をモジュール幅Ｍよりも大きなものを製作する場合は引戸５の構造上、製造設備上から製作が無理になるという問題があり、また引戸５の幅寸法が大きくなることで出入口幅ｄが制限されたり、引戸５の重量が重くなるなど、使用性が悪化するという問題がある。
【特許文献１】特開平７−４２４３５号公報
【発明の開示】
【発明が解決しようとする課題】
【０００４】
本発明は上記の従来の問題点に鑑みて発明したものであって、モジュールサイズの引戸を用いた構造でありながら、出入口幅をモジュールサイズよりも大きく広げる場合は、引戸のモジュール幅を変えたり或いは枠体の枠外幅寸法をモジュールサイズよりも大きくしたりすることなく、出入口幅をモジュールサイズよりも広げることを可能にする引戸装置を提供することを課題とするものである。
【課題を解決するための手段】
【０００５】
上記課題を解決するために請求項１記載の発明は、開口部４を構成する枠体２と、開口部４の一部を出入口１とするように往復移動自在に配置されるモジュールサイズの引戸５と、引戸５が納められる控え壁３とを備えた引戸装置であって、上記モジュールサイズの引戸５の戸先部５ａ又は戸尻部５ｂ側のいずれか一方に、出入口幅ｄに合わせて引戸５の幅寸法を調整するための補助戸６を着脱可能に取り付けてなることを特徴としている。
【０００６】
このような構成とすることで、通常よりも広い出入口幅が必要な場合は、補助戸６を引戸５から取り外すことで、モジュールサイズの引戸５を用いたものでありながら、出入口幅ｄを引戸５のモジュール幅Ｍよりも広い開口幅Ｄ（＞ｄ）まで広げることができ、また通常時には補助戸６を引戸５に取り付けることで元の出入口幅ｄに戻すことができる。
【０００７】
また請求項２記載の発明は、上記引戸５と補助戸６との突き合せ面１１のいずれか一方に雌実部８を設け、いずれか他方に上記雌実部８に嵌合する雄実部９を設けるのが好ましく、この場合、引戸５と補助戸６との突き合せ面１１からの光漏れ及び隙間風を実結合によって防止でき、そのうえ引戸５と補助戸６とを別構成とした構造でありながら通常時には実結合によって補助戸６付き引戸５の外観が一体に連続したものとなり、見栄えもきわめて良好となる。
【０００８】
また請求項３記載の発明は、上記引戸５と補助戸６との取付け手段が、補助戸６の引戸５側とは反対側の端部から補助戸６内部を貫通して引戸５側に螺入されるボルト１０で構成されているのが好ましく、この場合、補助戸６を引戸５に対してボルト止めすることで、補助戸６の取り付け強度を高めることができると共に、ボルト１０の取り外しによって引戸５に対する補助戸６の着脱作業を容易に行なうことができ、そのうえボルト１０の頭部は補助戸６の引戸５側と反対側の端部に位置することになるので、室内側からボルト１０の頭部が見えることもなく、外観性が良好となる。
【０００９】
また請求項４記載の発明は、開口部４を構成する枠体２と、開口部４の一部を出入口１とするように往復移動自在に配置されるモジュールサイズの引戸５と、引戸５が納められる控え壁３とを備えた引戸装置であって、上記モジュールサイズの引戸５の戸先部５ａ又は戸尻部５ｂ側のいずれか一方に、出入口幅ｄに合わせて引戸５の幅寸法を調整するための補助戸６を引戸５に対して折り曲げ可能にヒンジ結合してなることを特徴としている。
【００１０】
このような構成とすることで、通常よりも広い出入口幅が必要な場合には、補助戸６を折り曲げるだけで出入口幅ｄを引戸５のモジュール幅Ｍよりも広い開口幅Ｄ（＞ｄ）まで広げることが可能となり、また通常時には補助戸６を真っ直ぐ伸ばした状態で保持することで、元の出入口幅ｄに戻すことができる。そのうえ補助戸６は折り曲げられるのみで引戸５から外す必要がないため、折り曲げたときの補助戸６の納まりも良くなる。
【００１１】
また請求項５記載の発明は、上記引戸５と補助戸６とのヒンジ結合手段が、引戸５と補助戸６との突き合せ面１１の一端側に設けられる蝶番１２と、該突き合せ面１１の他端側に設けられる取り外し可能な止め金具１３とで構成されているのが好ましく、この場合、通常よりも広い出入口幅が必要な場合は、止め金具１３を取り外すだけで補助戸６を蝶番１２を中心に折り曲げ可能となり、これによりモジュールサイズの引戸５を用いたものでありながら、出入口幅ｄを引戸５のモジュール幅Ｍよりも広い開口幅Ｄ（＞ｄ）まで広げることができ、また通常時には補助戸６を伸ばして止め金具１３を止めるだけで、元の出入口幅ｄに戻すことができる。
【発明の効果】
【００１２】
本発明にあっては、出入口幅を引戸のモジュール幅よりも広い開口幅まで広げることができるので、従来のように引戸をモジュールサイズ以上にしたり、枠体の枠外幅寸法をモジュールサイズよりも大きくしたりする必要がなく、結果、一般住宅のモジュールサイズに楽に納めることが可能となる。また引戸もモジュールサイズよりも大きなものを製作する必要がないため、引戸の重量が重くなるという問題もなく、そのうえ引戸の構造上、製造設備上から製作が無理になるという製造上の問題も生じないものである。
【発明を実施するための最良の形態】
【００１３】
以下、本発明を添付図面に示す実施形態に基いて説明する。
【００１４】
図１は引戸装置全体の分解斜視図を示し、図２（ａ）（ｂ）は補助戸６を着脱する場合の平面図を示している。
【００１５】
本例の引戸装置は、図１に示すように、開口部４を構成する枠体２と、開口部４の一部を出入口１とするように往復移動自在に配置されるモジュールサイズの引戸５と、引戸５が納められる控え壁３とを備えると共に、上記モジュールサイズの引戸５の戸尻部５ｂに補助戸６を着脱可能に取り付けたものである。
【００１６】
上記枠体２は、上枠部２ａと、左右の側枠部２ｃと、中方立て２ｄと、下枠部２ｂとで構成され、引戸５の前方に位置する側枠部２ｃと中方立て２ｄとの間が開口部４の開口幅Ｄとなっている。上枠部２ａには引戸５の上端部をスライド自在にガイドするガイド溝１４が設けられており、下枠部２ｂには引戸５の下車輪１５をガイドするレール部１６が設けられている。
【００１７】
一方、モジュールサイズの引戸５の戸尻部５ｂには、補助戸６が着脱可能に取り付けられるようになっている。この補助戸６は、出入口幅ｄに合わせて引戸５の幅寸法を調整するためのものであり、ここで、引戸５のモジュール幅Ｍと、補助戸６の幅寸法Ｎと、枠体２の開口幅Ｄと、出入口幅ｄとの関係は、Ｄ＞ｄ、ｄ≦Ｍ＋Ｎとされる。すなわち、通常時は、開口部４よりも幅狭の出入口１を補助戸６付き引戸５によって開閉できるようになり、また、広い開口幅を必要とする場合に、補助戸６を取り外して引戸５を控え壁３を構成する控え壁３の後方に収納することで開口部４の開口幅Ｄ（＞ｄ）を確保できるようになっている。なお図４中の１６は補助戸６のボルト孔、１７は引戸５のボルト孔である。
【００１８】
ここで、引戸５と補助戸６との取付け手段として、補助戸６の戸当たり側の端部から補助戸６内部を貫通して引戸５側に螺入される長尺のボルト１０が用いられる。なお図１の例ではボルト１０の数は上下２本としているが、もちろんこの数に限定されることはない。
【００１９】
しかして、出入口幅ｄよりも大きなピアノとか大型家具類を搬入する場合のように、通常よりも広い出入口幅が必要な場合は、図２（ｂ）に示すように、補助戸６を取り外して引戸５を控え壁３の後ろに収納する。これにより、引戸５のモジュール幅Ｍよりも広い開口幅Ｄ（＞ｄ）まで広げることができる。その後、通常状態に戻すときは引戸５を控え壁３から引き出して補助戸６を長尺のボルト１０を用いて引戸５の戸尻部５ｂに固定することで、図２（ａ）に示すように、補助戸６付き引戸５をフラットな一面の引戸５とすることができる。これにより、モジュールサイズの引戸５を用いたものでありながら、引戸５を閉じた状態で出入口１を含むモジュールサイズよりも大きな開口部４全体を閉じることができるようになり、元の出入口幅ｄに戻すことができるようになる。
【００２０】
このように、補助戸６を引戸５の戸尻部５ｂに取り付けたり、取り外したりすることで、引戸５の幅寸法を調整できるようにしたので、大型家具類の搬入等に容易に対応できるものとなり、また従来のように枠体２の枠外幅寸法Ｌをモジュールサイズ以上に大きくする必要がないため、枠体２を一般住宅のモジュールサイズに楽に納めることが可能となる。また引戸５もモジュールサイズのものを使用でき、大きなものを製作する必要もないため、引戸５の重量が重くなるという問題がなく、さらに引戸５の構造上、製造設備上から製作が無理になるという製造上の問題も生じることがないものである。
【００２１】
しかも、補助戸６を引戸５にボルト止めすることで、補助戸６の取り付け強度を高めることができると共に、ボルト１０の取り外しによって引戸５に対する補助戸６の着脱作業を容易に行なうことができる。そのうえボルト１０の頭部は補助戸６の後端部、つまり枠体２の戸当たりに面して位置することになるので、室内側からボルト１０の頭部が見えることもなく、外観性が良好になるという利点もある。さらに補助戸６を引戸５の戸尻部５ｂに取り付けることで、引戸５の戸先部５ａ側には通常、取手７が設けられており、通常の引戸５をそのまま利用できるという利点もある。
【００２２】
図３、図４は、引戸５の戸尻部５ｂに補助戸６を取り付ける場合の他例を示している。本例では、引戸５と補助戸６との突き合せ面１１のいずれか一方に雌実部８を設け、いずれか他方に上記雌実部８に嵌合する雄実部９を設けている。そして、補助戸６の雌実部８に引戸５の雄実部９を嵌め込むことによって、引戸５と補助戸６との突き合せ面１１からの光漏れ及び隙間風を防止できるようになり、さらに引戸５の戸尻部５ｂにに対して補助戸６を前後方向に位置決めした状態で保持できるようになっている。しかして、引戸５と補助戸６との突き合せ面１１を実接合することで、突き合せ面１１からの光漏れ及び隙間風を防止できるようになり、そのうえ引戸５と補助戸６とを着脱可能にした構造でありながら、引戸５全体として一体に連続した外観が得られるようになり、見栄えもきわめて良好となる。また実部が引戸５と補助戸６との接合部分にライン状に現れるので、このラインがアクセントになって引戸全体の装飾性を高める働きもする。
【００２３】
なお、前記実施形態では補助戸６を引戸５の戸尻部５ｂに取り付けた場合を説明したが、図５、図６に示すように、補助戸６を引戸５の戸先部５ａに取り付けることも可能である。この例においても前記図１の実施形態と同様な作用効果が得られるものである。なお補助戸６を引戸５の戸先部５ａに取り付ける場合、補助戸６の戸先部側に取手７を設けるようにすればよい。さらに、補助戸６の一端にしゃくり溝８ａを設け、引戸５の戸先部５ａをしゃくり溝８ａに嵌め込むことで、光漏れ及び隙間風を防止するようにしてもよい。
【００２４】
図７は更に他の実施形態であり、モジュールサイズの引戸５の戸尻部５ｂに、引戸５の幅寸法を調整するための補助戸６を引戸５に対して折り曲げ可能にヒンジ結合した場合の一例を示している。なお、補助戸６は引戸５の戸尻部５ｂではなく、モジュールサイズの引戸５の戸先部５ａに対して折り曲げ可能にヒンジ結合することも可能である。またいずれの場合も、補助戸６の下端部には下枠部２ｂとの隙間を塞ぐ接床装置（図示せず）を設け、補助戸６の下端部からの光漏れ及び隙間風を防止すると共に、補助戸６と下枠部との一体感が得られるようにしている。他の構成は図１の実施形態と同様であり、対応する部位には同一符号を付して詳しい説明は省略する。
【００２５】
ここで、引戸５と補助戸６とのヒンジ結合手段は、図８に示す例では、引戸５と補助戸６との突き合せ面１１の一端側に設けられる蝶番１２と、該突き合せ面１１の他端側に設けられる取り外し可能な止め金具１３とで構成されている。止め金具１３は、ヒンジ結合されている補助戸６を引戸５に対して真っ直ぐに延ばした状態で引戸５に固定するものであり、その一例を図９に示す。この止め金具１３は、補助戸６又は引戸５の一方に着脱可能に引掛けられる引掛け部２０と、他方にヒンジ軸２１を介して回動自在に連結されたアーム部２２と、引掛け部２０が一方の爪部２３に引掛けられた状態で引掛け部２０に対してアーム部２２が矢印ロ方向に所定角度以上に開いたときにはアーム部２２を開く方向に付勢し且つアーム部２２が矢印イ方向に所定角度以下に閉じたときにはアーム部２２を閉じる方向に付勢するように構成されている。なお図７では引戸５と補助戸６の突き合せ面１１は凹凸嵌合面となっているが、図８に示すように、フラット面としてもよいものであり。適宜設計変更自在である。
【００２６】
しかして、通常よりも広い出入口幅が必要な場合には、止め金具１３を外すことで補助戸６を蝶番１２を中心として折り曲げることができ、この状態で引戸５を控え壁３に収納することにより、図７（ａ）に示すように、出入口幅ｄを開口部４の開口幅Ｄ（＞ｄ）まで広げることが可能となる。戻すときは引戸５を控え壁３から引き出して、補助戸６を真っ直ぐに延ばした状態で止め金具１３を係止することで、通常の出入口幅ｄに戻すことができる。従って、図１の実施形態と同様、モジュールサイズの引戸５を用いたものでありながら、広い開口幅Ｄ（＞ｄ）を必要に応じて容易に確保できるという作用効果に加えて、止め金具１３を用いて補助戸６を引戸５とフラットな状態で保持したり、止め金具１３の解除によって補助戸６を引戸５に対して折り曲げ可能となるので、ドライバー等の工具を用いずに容易に且つ手間をかけずに補助戸６の折り曲げ操作及び固定操作ができるという利点がある。そのうえ本例では、補助戸６はスイングするのみであり、引戸５からは外れないため、補助戸６の納まりが良くなるという利点もある。
【図面の簡単な説明】
【００２７】
【図１】本発明の一実施形態の分解斜視図である。
【図２】（ａ）は同上の補助戸を取り付けた状態の平面図、（ｂ）は取り外した状態の平面図である。
【図３】他の実施形態の分解斜視図である。
【図４】同上の雌実部と雄実部とを説明する平面図である。
【図５】更に他の実施形態の分解斜視図である。
【図６】（ａ）は図５の補助戸を取り付けた状態の平面図、（ｂ）は取り外した状態の平面図である。
【図７】（ａ）は更に他の実施形態の平面図、（ｂ）は斜視図である。
【図８】更に他の実施形態の斜視図である。
【図９】（ａ）〜（ｃ）は同上の止め金具の動作説明図である。
【図１０】従来例の説明図である。
【符号の説明】
【００２８】
１  出入口
２  枠体
３  控え壁
４  開口部
５  引戸
５ａ  戸先部
５ｂ  戸尻部
６  補助戸
８  雌実部
９  雄実部
１０  ボルト
１１  突き合せ面
１２  蝶番
１３  止め金具
ｄ  出入口幅
Ｄ  開口部の開口幅
Ｌ  枠外幅寸法
Ｍ  モジュール幅
【図１】
2005133317.tif 000003
【図２】
2005133317.tif 000004
【図３】
2005133317.tif 000005
【図４】
2005133317.tif 000006
【図５】
2005133317.tif 000007
【図６】
2005133317.tif 000008
【図７】
2005133317.tif 000009
【図８】
2005133317.tif 000010
【図９】
2005133317.tif 000011
【図１０】
2005133317.tif 000012